(57)【特許請求の範囲】
【請求項１】
情報機器と携帯電話とが通信可能に接続され、前記携帯電話は、情報ネットワークから提供される情報を、予め定める条件に基づいて選択し、前記情報機器に取得させる情報受信装置であって、
前記携帯電話は、
前記情報機器が情報の取得を行う発信者を選択する条件を設定する発信者設定手段と、
着信時に、前記発信者設定手段を照合し、着信元の発信者が前記発信者設定手段に設定されている条件に適合しているか否かを判断する発信者照合手段と、
前記情報機器に着信信号を伝達する着信信号伝達手段と、
前記情報機器と接続されるドッキング状態を検出するドッキング検出手段と、
前記発信者照合手段によって前記着信時の着信元の発信者が前記発信者設定手段に設定されている条件に適合していると判断された時点において、前記ドッキング検出手段によってドッキング状態となっていることが検出されていない場合、前記発信者照合手段によって判断された判断結果を記憶する記憶手段とを含み、
前記着信信号伝達手段は、
前記発信者照合手段によって前記着信時の着信元の発信者が前記発信者設定手段に設定されている条件に適合していると判断された時点において、前記ドッキング検出手段によってドッキング状態となっていることが検出されている場合、前記情報機器に前記着信信号を伝達し、
前記発信者照合手段によって前記着信時の着信元の発信者が前記発信者設定手段に設定されている条件に適合していると判断された時点において、前記ドッキング検出手段によってドッキング状態となっていることが検出されていない場合、前記ドッキング検出手段によってドッキング状態となっていることが検出されると、前記記憶手段によって記憶された前記判断結果に従って、前記情報機器に前記着信信号を伝達し、
前記情報機器は、
前記携帯電話の着信信号伝達手段からの前記着信信号を検出する着信信号検出手段と、
前記着信信号検出手段からの出力が入力され、前記着信信号の検出時に、前記情報機器の状態を判定し、予め設定される情報ネットワーク上の情報提供者に接続可能な状態に設定し、該情報提供者に接続して、提供される情報を受信するように制御する制御手段とを含むことを特徴とする情報受信装置。
【請求項２】
前記情報機器の制御手段は、前記着信信号の検出時の前記情報機器の状態を記憶するとともに、前記情報提供者からの情報の受信を終了した後で、前記記憶した情報機器の状態に復元するように制御することを特徴とする請求項１記載の情報受信装置。
【請求項３】
情報機器と接続可能で、情報ネットワークから提供される情報を、予め定める条件に基づいて選択し、接続される前記情報機器に取得させる携帯電話であって、
前記情報機器が情報の取得を行う発信者を選択する条件を設定する発信者設定手段と、
着信時に、前記発信者設定手段を照合し、着信元の発信者が前記発信者設定手段に設定されている条件に適合しているか否かを判断する発信者照合手段と、
前記情報機器に着信信号を伝達する着信信号伝達手段と、
前記情報機器と接続されるドッキング状態を検出するドッキング検出手段と、
前記発信者照合手段によって前記着信時の着信元の発信者が前記発信者設定手段に設定されている条件に適合していると判断された時点において、前記ドッキング検出手段によってドッキング状態となっていることが検出されていない場合、前記発信者照合手段によって判断された判断結果を記憶する記憶手段とを含み、
前記着信信号伝達手段は、
前記発信者照合手段によって前記着信時の着信元の発信者が前記発信者設定手段に設定されている条件に適合していると判断された時点において、前記ドッキング検出手段によってドッキング状態となっていることが検出されている場合、前記情報機器に前記着信信号を伝達し、
前記発信者照合手段によって前記着信時の着信元の発信者が前記発信者設定手段に設定されている条件に適合していると判断された時点において、前記ドッキング検出手段によってドッキング状態となっていることが検出されていない場合、前記ドッキング検出手段によってドッキング状態となっていることが検出されると、前記記憶手段によって記憶された前記判断結果に従って、前記情報機器に前記着信信号を伝達することを特徴とする携帯電話。
【請求項４】
情報ネットワークを介してユーザに各種の情報を提供する情報提供サーバを、変更監視サーバが定期的に監視し、変更があれば前記変更監視サーバが前記ユーザに変更を通知し、前記ユーザが前記情報提供サーバから変更された情報を情報機器に取得させる情報配信方法において、
前記変更監視サーバから前記ユーザへの変更の通知は、前記ユーザの指定する携帯電話に対して行い、
前記携帯電話は、
前記変更監視サーバを特定発信者として設定しておき、
着信時に、前記着信元の発信者が前記特定発信者に一致しているか否かを照合し、一致していると判断される時点において、前記情報機器と接続されるドッキング状態となっていることが検出されている場合、前記情報機器に着信の通知を行い、
着信時に、着信元の発信者が前記特定発信者に一致しているか否かを照合し、一致していると判断された時点において、前記ドッキング状態となっていることが検出されていない場合、前記一致していると判断した判断結果を記憶し、その後、前記ドッキング状態となっていることが検出されると、前記判断結果に従って、前記情報機器に着信の通知を行い、
前記情報機器は、前記携帯電話からの前記着信の通知に従って、前記情報提供サーバからの情報を受信することを特徴とする情報配信方法。
【発明の詳細な説明】
【０００１】
【発明の属する技術分野】
本発明は、インターネットなどの情報ネットワークから提供される情報を、ＰＤＣ（Personal Digital Cellular）やＰＨＳ（Personal Handyphone System）などの携帯電話とパーソナルコンピュータなどの情報機器とで受信する情報受信装置、携帯電話および情報配信方法に関する。
【０００２】
【従来の技術】
近年、パーソナルコンピュータ等の情報機器の普及と、インターネットなどの情報ネットワークの急速な広がりによって、利用者間での電子メールの交換や、種々の提供者から得られる情報やサービスの利用が可能になってきている。個人がインターネットを介しての電子メールや情報やサービスの利用を行うためには、公衆電話回線を介してプロバイダと呼ばれる専用業者が設置しているホストコンピュータに接続する方法が一般的である。プロバイダと呼ばれる業者は多数存在し、各業者は複数のアクセスポイントと呼ばれる中継地点を設定しており、ユーザは公衆電話回線の利用料金が安いアクセスポイントを選択してプロバイダへのダイヤルアップ接続を行う。
【０００３】
電話回線を介してプロバイダにダイヤルアップ接続するような環境では、インターネットへ常時接続することはできない。インターネット上で、ウエブページなどの形態で提供されている情報には、各種のニュースのように、定期的に内容が更新されるものと、種々の理由で不定期に内容が更新されるものとがある。また、電子メールも一般的には不定期でやり取りされる。インターネットに常時接続することができない環境の場合に、電子メールが到着しているか、またはインターネット上のお気に入りのページが更新されているかを確認するためには、プロバイダのホストコンピュータに電話回線を介して接続し、チェックを行う必要がある。電子メールについては、着信があればホストコンピュータに保存されているので、すぐに確認することができる。しかしながら、お気に入りのページなどの更新は、そのページを実際に見てみないと判らない。
【０００４】
ページが更新されているか否かを確認し、更新されていれば更新されている内容を読込むような手順を自動化する製品が登場してきている。１つは、ブラウザと呼ばれるソフトウエアで、オートパイロットと呼ばれるインターネット自動巡回機能を備えるようになってきている製品がある。オートパイロット機能では、予め指定しておいた情報を、複数の情報提供サーバを自動的に巡回して、パーソナルコンピュータなどの情報機器に受信することができる。このような機能を備えるブラウザの製品例としては、Ｍｉｃｒｏｓｏｆｔ社製のＩｎｔｅｒｎｅｔ  ＥｘｐｌｏｒｅｒのＶｅｒ．４以降などがある。もう１つは、パーソナルコンピュータなどの情報機器に特別なボタンを備えておき、そのボタンを押すだけで自動的に電源が入り、新着の電子メールを受信したり、予め指定しておいたインターネット上の情報を自動的に更新して取込む機能である。そのような情報機器の製品例としては、シャープ株式会社製のハンドヘルドＰＣ  Ｔｅｌｉｏｓなどがある。これらの機能あるいは製品では、予め指定した日時と間隔に従って、自動的にタスクを実行するスケジュール機能を備えている。
【０００５】
しかしながら、これらの技術は、定期的なホストコンピュータへの接続と最新情報の更新作業とを自動で行うだけであり、「疑似プッシュ」や「クライアントプル」などと呼ばれている。最新情報の更新は、一般的に不定期であり、定期的なスケジュールで新着情報の確認を行うと、新着情報が届いていない場合にも、指定した日時や間隔に従って電話回線を介してホストコンピュータに接続しに行くことになるので、余計な通信コストをかけることになる。この欠点を補うため、ある情報提供サーバでは、そのサーバ上に蓄積される情報を更新した場合に、予め登録されているユーザに対して、電子メールで通知するサービスを行うようにしている。
【０００６】
また、情報提供サーバは提供する情報の変更時にユーザに対する通知を行わなくても、他のサーバがユーザが指定する任意のインターネット上のページを監視し、変更があった場合に電子メールでユーザに通知するサービスを提供することがある。このような情報監視サーバとしては、たとえばｎｅｔｍｉｎｄ社が知られている。このサービスを利用するためには、たとえばｈｔｔｐ：／／ｗｗｗ．ｎｅｔｍｉｎｄ．ｃｏｍ／を読込めばよい。これらのサービスを利用すると、インターネット上の情報が更新されたときだけ、通知に従って接続し、受信することができる。したがって、情報が更新されているか否かの確認のために、あるいは新着の電子メールが届いているか否かを確認するために、一旦プロバイダのホストコンピュータに接続する必要がある。新着メールが届いているか否かは、実際にホストコンピュータに接続しなければ判らないからである。パーソナルコンピュータなどの情報機器が、常時プロバイダなどからの電子メールを待ち受けている状態にしておくと、情報機器を他の用途に使用しないときでも電源を投入した状態を続けなければならないので、電力消費量が大きくなってしまう。
【０００７】
最近では、携帯電話でも電子メールを送受信することができるようになってきている。携帯電話は、消費電力が小さく、かつ不特定の相手からの呼出しにいつでも応答可能なように、常時待受け状態になっている。最近では、携帯電話でも電子メールを送受信することができるようになってきているけれども、メールの送受信機能を備えている携帯電話では、電子メールが到着した時点でその内容を表示装置で表示させて確認することができる。このような携帯電話の機能は、パーソナルコンピュータ等の情報機器の電子メール環境にはないものであり、情報機器の電子メール環境も、常時待ち受けすることができる機能を有することが望まれている。
【０００８】
特開平１１−１３６３６５号公報には、ユーザが希望する情報を自動的に配信する情報配信システムが開示されている。ユーザは予め自分が取得したいコンテンツを選択し、通信プロバイダに登録しておく。登録されたコンテンツに対しての更新が発生すると、コンテンツ供給者から通信プロバイダに通知がなされ、通信プロバイダは予め設定される配信時刻に更新されたコンテンツの内容をユーザに対して送信する。ユーザは、携帯電話などの端末装置に、通信プロバイダから送信されてくるコンテンツを受信して記憶しておくことができる容量のメモリを備えておき、通信プロバイダから送信されるコンテンツの内容を記憶し、記憶された内容を必要に応じて確認することができる。
【０００９】
【発明が解決しようとする課題】
特開平１１−１３６３６５号公報の先行技術では、大容量のメモリを搭載した携帯電話に直接インターネットからのコンテンツを受信している。受信されたコンテンツの内容は、携帯電話などが備える表示装置で表示し、確認することができる。しかしながら、携帯電話が備えている表示装置は大きさも小さく、かつ解像度や色の点でも、現在一般に作成されているウエブページなどを表示するのには不充分である。特開平１１−１３６３６５号公報には、コンテンツをリムーバル内蔵大容量メモリに記憶し、リムーバル内蔵大容量メモリを取出してパーソナルコンピュータなどで編集したりすることも可能なことが記載されている。しかしながら、リムーバル内蔵大容量メモリの取出しや、パーソナルコンピュータへの装着などの作業は利用者が行わなければならない。
【００１０】
以上のように、インターネットなどの情報ネットワークを利用する電子メールや情報あるいはサービスの提供に関しては、次のような問題点がある。
【００１１】
第１は、パーソナルコンピュータなどのダイアルアップ接続型の電子メール環境では、新しいメールが到着しているか否かを確認するために、ホストコンピュータにその都度接続しなければならないという問題がある。このため、メールがホストコンピュータに到着してから、情報機器にメールが受信されるまでにどうしても遅延が生じることになり、緊急を要するメールの場合に、連絡を待たされるという問題が生じる。
【００１２】
第２は、携帯電話を用いる電子メール環境では、携帯電話は常時待ち受け状態にあるので、第１の問題は発生しないけれども、表示装置の文字数が制限されるなどで、一般の情報機器の電子メール環境と比べて機能的に貧弱であるという問題がある。また、この制約から、情報機器の電子メールを主に利用するユーザにとっては、携帯電話での電子メールを主として利用することができないという問題が生じる。
【００１３】
第３は、インターネット上の情報の更新時に、サーバ側で監視して更新があった場合にメールで通知してくれるサービスが登場しているけれども、ユーザはこのメールを受け取った後、ユーザ自らインターネット上の情報を受信しに行かなければならないという問題がある。
【００１４】
第４は、定期的にホストコンピュータに接続して、最新情報の更新をチェックして、自動受信するシステムでは、新着情報が届いていない場合でも定期的にホストコンピュータに接続しなければならないので、余計な通信コストがかかるという問題がある。
【００１５】
本発明の目的は、電子メールやユーザの希望する様々な情報を、迅速かつ自動的に受信することができる情報受信装置、携帯電話および情報配信方法を提供することである。
【００１６】
【課題を解決するための手段】
本発明は、情報機器と携帯電話とが通信可能に接続され、前記携帯電話は、情報ネットワークから提供される情報を、予め定める条件に基づいて選択し、前記情報機器に取得させる情報受信装置であって、
前記携帯電話は、
前記情報機器が情報の取得を行う発信者を選択する条件を設定する発信者設定手段と、
着信時に、前記発信者設定手段を照合し、着信元の発信者が前記発信者設定手段に設定されている条件に適合しているか否かを判断する発信者照合手段と、
前記情報機器に着信信号を伝達する着信信号伝達手段と、
前記情報機器と接続されるドッキング状態を検出するドッキング検出手段と、
前記発信者照合手段によって前記着信時の着信元の発信者が前記発信者設定手段に設定されている条件に適合していると判断された時点において、前記ドッキング検出手段によってドッキング状態となっていることが検出されていない場合、前記発信者照合手段によって判断された判断結果を記憶する記憶手段とを含み、
前記着信信号伝達手段は、
前記発信者照合手段によって前記着信時の着信元の発信者が前記発信者設定手段に設定されている条件に適合していると判断された時点において、前記ドッキング検出手段によってドッキング状態となっていることが検出されている場合、前記情報機器に前記着信信号を伝達し、
前記発信者照合手段によって前記着信時の着信元の発信者が前記発信者設定手段に設定されている条件に適合していると判断された時点において、前記ドッキング検出手段によってドッキング状態となっていることが検出されていない場合、前記ドッキング検出手段によってドッキング状態となっていることが検出されると、前記記憶手段によって記憶された前記判断結果に従って、前記情報機器に前記着信信号を伝達し、
前記情報機器は、
前記携帯電話の着信信号伝達手段からの前記着信信号を検出する着信信号検出手段と、
前記着信信号検出手段からの出力が入力され、前記着信信号の検出時に、前記情報機器の状態を判定し、予め設定される情報ネットワーク上の情報提供者に接続可能な状態に設定し、該情報提供者に接続して、提供される情報を受信するように制御する制御手段とを含むことを特徴とする情報受信装置である。
【００１７】
本発明に従えば、情報機器と携帯電話とは通信可能に接続され、情報ネットワークから提供される情報を受信する。携帯電話は、発信者設定手段と、発信者照合手段と、着信信号伝達手段と、ドッキング検出手段と、記憶手段とを含む。発信者設定手段には、情報機器が情報の取得を行う発信者を選択する条件を設定する。発信者照合手段は、着信時に、発信者設定手段を照合して、着信元の発信者が発信者設定手段に設定されている条件に適合しているか否かを判断する。ドッキング検出手段は、情報機器と接続されるドッキング状態を検出する。記憶手段は、発信者照合手段によって着信時の着信元の発信者が発信者設定手段に設定されている条件に適合していると判断された時点において、ドッキング検出手段によってドッキング状態となっていることが検出されていない場合、発信者照合手段によって判断された判断結果を記憶する。着信信号伝達手段は、発信者照合手段によって着信時の着信元の発信者が発信者設定手段に設定されている条件に適合していると判断された時点において、ドッキング検出手段によってドッキング状態となっていることが検出されている場合、情報機器に着信信号を伝達する。着信信号伝達手段は、発信者照合手段によって着信時の着信元の発信者が発信者設定手段に設定されている条件に適合していると判断された時点において、ドッキング検出手段によってドッキング状態となっていることが検出されていない場合、ドッキング検出手段によってドッキング状態となっていることが検出されると、記憶手段によって記憶された判断結果に従って、情報機器に着信信号を伝達する。情報機器は、着信信号検出手段と、制御手段とを含む。着信信号検出手段は、携帯電話の着信号伝達手段からの着信信号を検出する。制御手段は、着信信号検出手段による着信信号の検出をトリガとして、情報機器の状態を判定し、たとえば電源の供給が停止されているときは電源を供給させ、予め設定される情報ネットワーク上の情報提供者に接続して、提供される情報を受信するように制御する。
【００１８】
情報の提供は、携帯電話を介して通知されるので、携帯電話を常時受信可能な状態としておくことによって、情報の到達時点からの遅延を生じないようにすることができる。情報ネットワーク上の提供者から提供される情報は、情報機器によって受信されるので、携帯電話が備えていないような大容量のメモリを必要とする情報であっても、容易に受信することができる。情報機器が情報を受信するので、携帯電話では情報の内容が困難な情報でも、充分に内容の確認などを行うことができる。
また、情報が提供されることを知らせる通知が携帯電話に到達する時点で、携帯電話が情報機器とドッキングされていないときであっても、携帯電話を情報機器にドッキングさせれば、直ちに情報機器が提供された情報を受信して利用することができる。
【００２１】
また本発明で前記情報機器の制御手段は、前記着信信号の検出時の前記情報機器の状態を記憶するとともに、前記情報提供者からの情報の受信を終了した後で、前記記憶した情報機器の状態に復元するように制御することを特徴とする。
【００２２】
本発明に従えば、情報機器の制御手段は、着信信号の検出時の情報機器の状態を記憶しておき、情報提供者からの情報の受信後に前記着信信号の検出時の情報機器の状態を復元することができるので、情報機器が電源のオン状態とオフ状態とのほかに、メモリの記憶内容を保持するような一定の省電力機能を備えているような場合であっても、情報の受信後に情報の受信前の状態に復帰させることができる。制御手段は、情報機器の状態を判定して、たとえば電源の供給が停止されているときには電源を供給させて、情報機器を動作させてから、情報ネットワーク上の情報の受信を行わせることができるので、情報機器は着信信号検出手段や制御手段を除いて、電源の供給を停止し、電力消費の低減を図り、かつ情報の受信が可能なときには、直ちに電源を自動的に投入して、情報の受信を行わせることができる。
【００２３】
さらに本発明は、情報機器と接続可能で、情報ネットワークから提供される情報を、予め定める条件に基づいて選択し、接続される前記情報機器に取得させる携帯電話であって、
前記情報機器が情報の取得を行う発信者を選択する条件を設定する発信者設定手段と、
着信時に、前記発信者設定手段を照合し、着信元の発信者が前記発信者設定手段に設定されている条件に適合しているか否かを判断する発信者照合手段と、
前記情報機器に着信信号を伝達する着信信号伝達手段と、
前記情報機器と接続されるドッキング状態を検出するドッキング検出手段と、
前記発信者照合手段によって前記着信時の着信元の発信者が前記発信者設定手段に設定されている条件に適合していると判断された時点において、前記ドッキング検出手段によってドッキング状態となっていることが検出されていない場合、前記発信者照合手段によって判断された判断結果を記憶する記憶手段とを含み、
前記着信信号伝達手段は、
前記発信者照合手段によって前記着信時の着信元の発信者が前記発信者設定手段に設定されている条件に適合していると判断された時点において、前記ドッキング検出手段によってドッキング状態となっていることが検出されている場合、前記情報機器に前記着信信号を伝達し、
前記発信者照合手段によって前記着信時の着信元の発信者が前記発信者設定手段に設定されている条件に適合していると判断された時点において、前記ドッキング検出手段によってドッキング状態となっていることが検出されていない場合、前記ドッキング検出手段によってドッキング状態となっていることが検出されると、前記記憶手段によって記憶された前記判断結果に従って、前記情報機器に前記着信信号を伝達することを特徴とする携帯電話である。
【００２４】
本発明に従えば、携帯電話に情報ネットワークからの情報の提供についての通知が行われると、発信者が発信者設定手段に設定されている条件に適合するか否かで判断し、判断結果を着信信号として情報機器に伝達することができるので、携帯電話自体は提供される情報を直接利用する機能を備えていなくても、情報機器に受信して利用させるトリガを発生することができる。
また、情報が提供されることを知らせる通知が携帯電話に到達する時点で、携帯電話が情報機器とドッキングされていないときであっても、携帯電話を情報機器にドッキングさせれば、直ちに情報機器が提供された情報を受信して利用することができる。
【００２５】
さらにまた本発明は、情報ネットワークを介してユーザに各種の情報を提供する情報提供サーバを、変更監視サーバが定期的に監視し、変更があれば前記変更監視サーバが前記ユーザに変更を通知し、前記ユーザが前記情報提供サーバから変更された情報を情報機器に取得させる情報配信方法において、
前記変更監視サーバから前記ユーザへの変更の通知は、前記ユーザの指定する携帯電話に対して行い、
前記携帯電話は、
前記変更監視サーバを特定発信者として設定しておき、
着信時に、前記着信元の発信者が前記特定発信者に一致しているか否かを照合し、一致していると判断される時点において、前記情報機器と接続されるドッキング状態となっていることが検出されている場合、前記情報機器に着信の通知を行い、
着信時に、着信元の発信者が前記特定発信者に一致しているか否かを照合し、一致していると判断された時点において、前記ドッキング状態となっていることが検出されていない場合、前記一致していると判断した判断結果を記憶し、その後、前記ドッキング状態となっていることが検出されると、前記判断結果に従って、前記情報機器に着信の通知を行い、
前記情報機器は、前記携帯電話からの前記着信の通知に従って、前記情報提供サーバからの情報を受信することを特徴とする情報配信方法である。
【００２６】
本発明に従えば、ユーザは情報提供サーバから情報ネットワークを介して各種の情報の提供を受けることができる。情報提供サーバが提供する情報は、変更監視サーバによって定期的に監視され、情報に変更があれば、変更監視サーバがユーザに変更を通知し、ユーザは情報提供サーバから変更された情報を取得する。変更監視サーバからユーザへの変更の通知は、ユーザが指定する携帯電話に対して行う。携帯電話は常時待ち受け状態とすることが可能であるので、変更の通知は迅速にユーザの携帯電話に伝えることができる。ユーザの携帯電話は、着信時に、着信元の発信者が特定発信者に一致しているか否かを照合し、一致していると判断される時点において、情報機器と接続されるドッキング状態となっていることが検出されている場合、情報機器に着信の通知を行う。ユーザの携帯電話は、着信時に、着信元の発信者が特定発信者に一致しているか否かを照合し、一致していると判断された時点において、ドッキング状態となっていることが検出されていない場合、一致していると判断した判断結果を記憶し、その後、ドッキング状態となっていることが検出されると、判断結果に従って、情報機器に着信の通知を行う。情報機器は、携帯電話からの着信の通知をトリガとして、情報提供サーバからの情報を受信するので、情報の変更から受信までに要する時間を短縮し、電子メールや情報ネットワーク上の様々な情報を更新された時点で自動的に受信することができる。
また、情報が提供されることを知らせる通知が携帯電話に到達する時点で、携帯電話が情報機器とドッキングされていないときであっても、携帯電話を情報機器にドッキングさせれば、直ちに情報機器が提供された情報を受信して利用することができる。
【００２７】
【発明の実施の形態】
図１は、本発明の実施の一形態としての情報受信装置１００の概略的な構成を示す。情報受信装置１００は、ＰＤＣやＰＨＳなどの携帯電話１０１、パーソナルコンピュータなどの情報機器１０２、および携帯電話１０１から情報機器１０２へ着信を伝える信号線１０３から構成される。信号線１０３は、携帯電話１０１から情報機器１０２へ信号を伝達する物理的な通信経路であり、有線の通信ケーブルや、コネクタの直接結合、無線の光や電波、あるいは超音波などの形態を利用することもできる。また携帯電話１０１と情報機器１０２は、単に接近して用いるばかりではなく、特定の状態に結合するドッキング機構を備えるようにすることもできる。
【００２８】
携帯電話１０１は、無線通信装置１０４、入力装置１０５、処理装置１０６、記憶装置１０７およびブザー１０８などを有する。無線通信装置１０４は、ＰＤＣやＰＨＳなどの携帯電話網を介する無線通信を行う。入力装置１０５は、携帯電話１０１の筐体表面に備えられるキースイッチなどへの操作に対応する情報を検出して入力する。処理装置１０６は、無線通信装置１０４や入力装置１０５への入力に基づいて、携帯電話１０１としての各種機能に従って動作を行うように、各部の制御を行う。記憶装置１０７は、特定の相手先の情報を記憶することができる。ブザー１０８は、無線通信装置１０４に着信があるときに、着信音を発生させる。
【００２９】
以上説明した構成は、携帯電話として一般的な構成である。本実施携帯の携帯電話１０１では、さらにドッキング検出手段１０９および着信信号伝達手段１１０を有する。ドッキング検出手段１０９は、携帯電話１０１が情報機器１０２と所定の位置で結合するドッキング状態となっているか否かを検出する。携帯電話１０１と情報機器１０２とがドッキング状態となれば、信号線１０３を介する接続も自動的に行われる。着信信号伝達手段１１０は、携帯電話１０１が所定のプロバイダなどからの通知を受信するときに、着信信号を情報機器１０２に通信線１０３を介して送信し、着信信号の伝達を行う。
【００３０】
情報機器１０２は、記憶装置１１１、中央処理装置１１２、着信信号検出手段１１３、周辺機器制御装置１１４、電源制御装置１１５、通信装置１１６および電源回路１１７を有する。記憶装置１１１、中央処理装置１１２、周辺機器制御装置１１４、電源制御装置１１５、通信装置１１６および電源回路１１７は、一般的な情報機器と同様な構成である。着信信号検出手段１１３は、信号線１０３を介して携帯電話１０１の着信信号伝達手段１１０から伝達される着信信号を検出する。通信装置１１６は、モデムやターミナルアダプタなどであり、公衆電話回線やＩＳＤＮなどの通信網１１８に接続される。なお、通信網１１８として専用回線に接続することもできる。
【００３１】
図２は、携帯電話１０１を、ＰＤＡ（Personal  Digital Assistant）などの携帯情報端末である情報機器１０２にドッキングさせている状態を示す。情報機器１０２には、携帯電話１０１を保持し、図１の信号線１０３を介する信号の伝達も自動的に可能となるドッキング機構が設けられる。携帯電話１０１は表示部１０１ａを有する。この表示部１０１ａは小さく、解像度や色などにも制限があるけれども、情報機器１０２の表示部１０２ａは携帯電話１０１の表示部１０１ａに比較して制約が少ない。ユーザは情報機器１０２の表示部１０２ａを用いて、電子メールやウエブページの内容を表示させることができる。
【００３２】
図３は、本発明の実施の他の形態の情報受信装置２００の部分的な構成を示す。本実施形態の情報受信装置２００では、携帯電話２０１と情報機器２０２との間を、光による信号線２０３で接続する。携帯電話２０１は、一般的な構成に加え、図１の処理装置１０６に相当する組み込みマイコン２１１、発光ダイオード（以下、「ＬＥＤ」と略称する）２１２、トランジスタ２１３、アンテナ２１４、高周波（以下、「ＲＦ」と略称する）回路２１５、チャネルコーデック・モデム・ＤＳＰ２１６なども含まれる。アンテナ２１４、ＲＦ回路２１５およびチャネルコーデック・モデム・ＤＳＰ２１６は、図１の無線通信装置１０４に相当する。トランジスタ２１３は、ＰＮＰ型のバイポーラトランジスタであり、エミッタが正電源側、コレクタが抵抗を介して接地側にそれぞれ接続され、ベースが抵抗を介してドッキング検出用の端子に接続されている。情報機器２０２とドッキングしていないときには、ベースの端子はオープン状態であり、トランジスタ２１３はオフ状態であり、コレクタはほぼ接地電圧となって、ローレベルが組み込みマイコン２１１に与えられる。情報機器２０２とドッキングさせた状態では、ベースの端子が接地されるので、トランジスタ２１３はオン状態となり、コレクタからはハイレベルの信号が組み込みマイコン２１１に入力される。組み込みマイコン２１１は、トランジスタ２１３のコレクタ電圧の変化で、情報機器２０２とドッキングされているか否かを判断することができる。情報機器２０２に対する着信信号は、組み込みマイコン２１１の汎用出力ポートに接続されるＬＥＤ２１２を点灯させて、情報機器２０２に伝達することができる。
【００３３】
情報機器２０２は、一般的な構成に加え、受光素子２１７、電源コントローラ２１８などを含む。電源コントローラ２１８は、図１の情報機器１０２の電源制御装置１１５に相当し、マイクロコンピュータを内蔵している。電源コントローラ２１８の入力ポートは、受光素子２１７の出力側に接続される。受光素子２１７はフォトトランジスタであり、携帯電話２０１側からＬＥＤ２１２を点灯させると、その光を受光して電源コントローラ２１８にハイレベルの入力信号を与える。すなわち、本実施形態では、ＬＥＤ２１２と受光素子２１７とで、図１の実施形態の信号線１０３と同等の機能を実現している。本実施形態では、携帯電話２０１と情報機器２０２とをドッキングさせた環境で、物理的な接続を行わなくても携帯電話２０１と情報機器２０２とを結ぶ信号伝達を行うことができる。ドッキング状態で接続されるようなコネクタを携帯電話２０１と情報機器２０２とに備えるようにしたり、無線電波を使用して信号の伝達を行うようにすることもできる。
【００３４】
情報機器２０２の電源コントローラ２１８は、図１の情報機器１０２では電源回路１１７に相当する電源回路２１９を制御する。電源コントローラ２１８は、情報機器２０２を電源オン状態や、電源オフ状態、さらには低消費電力状態でメモリなどの記憶内容を保持するサスペンドの状態に切換えたり、サスペンドから復帰させるレジュームの制御を行うことができる。メインＣＰＵ２２０は図１の情報機器１０２の中央処理装置１１２と対応し、チップセット２２１は様々な周辺機器を制御する周辺機器制御装置１１４と対応する。
【００３５】
図４は、図１または図３の実施形態の情報受信装置１００，２００によるインターネットからの情報の受信手順を示す。図４（ａ）は携帯電話１０１，２０１の動作手順を示し、図４（ｂ）は情報機器１０２，２０２の動作手順を示す。携帯電話１０１，２０１にステップａ１で着信が入る。携帯電話１０１，２０１のプログラムは、着信があると、予め設定された発信者からであるか否かをステップａ２で照合する。ステップａ３では、発信者が予め設定された発信者と一致しているか否かを判断する。一致していると判断されるときには、ステップａ４で、着信通知信号を情報機器１０２，２０２に送信する。ステップａ３で、設定された発信者でないと判断されるときには、ステップａ５でブザー１０８を鳴らすような通常の着信としての処理を行う。ステップａ４またはステップａ５の手順が終了すると、携帯電話１０１，２０１としての着信に伴う手順を終了する。
【００３６】
図４（ｂ）に示すように、情報機器１０１，２０１側では、ステップｂ１で、携帯電話１０１，２０１からの着信信号を検出する。着信信号が検出されると、中央処理装置１１２またはメインＣＰＵ２２０に割込みがかかる。ステップｂ２では、電源状態がオンであるか否かを判断する。電源がオンでないと判断されるときには、ステップｂ３で、電源をオンにする。ステップｂ２で電源がオンで判断されるとき、またはステップｂ３での電源オンの処理が終了すると、ステップｂ４で、中央処理装置１１２またはメインＣＰＵ２２０は、割込み要因を確認する。ステップｂ５では、ステップｂ４で確認された割込み要因に従って、割込み要因毎に予め指定されているアプリケーションを起動する。着信信号の検出が割込み要因のときには、ステップｂ６で、ホストコンピュータに接続する動作が行われる。ホストコンピュータへの接続は、図１の通信装置１１６を介して通信網１１８に接続したり、携帯電話１０１，２０１を介して接続することによっても行うことができる。ステップｂ７では、通信網１１８などから最新情報を受信し、ステップｂ８で、ホストコンピュータに対する接続を切断し、処理手順を終了する。
【００３７】
なお、携帯電話１０１，２０１側の動作のステップａ２〜ａ４では、着信信号を伝達させる発信者を選択する条件を予め設定する必要がある。図１の携帯電話１０１では、入力装置１０５を介して発信者のアドレスを入力し、記憶装置１０７に記憶しておく。
【００３８】
図５は、図３に示す携帯電話２０１に発信者の設定を行う状態を示す。表示部２０１ａには発信者のインターネット上のアドレス２２２がＵＲＬ（Uniform Resouce Locator）で設定されていることが示されている。発信者は、たとえば電話番号などで設定したりすることもできる。またＵＲＬのアドレスで設定する場合に、範囲を絞込む条件を設定することもできる。
【００３９】
図６は、図１または図３に示す実施形態での情報機器１０２，２０２に搭載するソフトウエアの階層構造を示す。情報機器１０２のハードウエアは、電源回路１１７や信号線１０３と、その他情報機器１０２，２０２に固有の構成を含む。ＥＣファームウエア３０２は、電源制御装置１１５や電源コントローラ２０８上で動作するプログラムであり、電源制御や情報機器１０２，２０２に固有のハードウエアを制御するために用いられる。なお、ＥＣは、Ｅｍｂｅｄｄｅｄ  Ｃｏｎｔｒｏｌｌｅｒの略称である。
【００４０】
基本プログラム３０３およびアプリケーション３０４は、中央処理装置１１２やメインＣＰＵ２２０が動作するプログラムである。基本プログラム３０３は、ハードウエア３０１の違いを吸収するＢＩＯＳやドライバと、ユーザインターフェイスを実現するＯＳとを含む。アプリケーション３０４は、実際にユーザが情報機器１０２，２０２で直接利用するプログラムであり、図４のステップｂ６で、ホストコンピュータに対する接続を行うプログラムも含まれる。図４のステップｂ５以下の手順は、従来からのハンドヘルドＰＣに備えられるクイックスタートボタンなどと同様に実現することができる。
【００４１】
図６のソフトウエア階層上では、図４のステップｂ１の着信通知信号の検出は、ハードウエア３０１からＥＣファームウエア３０２に対する割込みを発生させる。図４のステップｂ２の判断は、図６のＥＣファームウエア３０２によって行われ、ＥＣファームウエア３０２は携帯電話１０１，２０１からの着信による割込みを検知すると、電源状態に応じて異なる振る舞いを行う。電源状態がオフのときには、電源を起動するオンシーケンスを実行する。電源状態がサスペンド状態であれば、レジュームシーケンスを実行する。電源状態がオンであれば、改めて電源をオンにする必要はない。ＥＣファームウエア３０２は、電源をオン状態にすると、上位階層のソフトウエアである基本プログラム３０３に対して割込みを通知する。基本プログラム３０３は、ステップｂ４で、ＥＣファームウエア３０２に対して割込み要因を問合せ、特定の割込み要因、この場合には携帯電話１０１，２０１からの着信による割込みであることを確認し、ステップｂ５で割込み要因に対応して指定されるアプリケーション３０４を起動する。アプリケーション３０４が起動すると、通信装置１１６が起動されると、ステップｂ７で、通信装置１１６を介するホストコンピュータへの接続が行われ、ステップｂ８で最新情報を受信した後、ステップｂ９でホストコンピュータへの接続を切断する。このようにして、携帯電話１０１，２０１への着信をトリガとし、情報機器１０２，２０２がホストコンピュータに蓄積されている最新情報を受信することができる。
【００４２】
図７は、図３に示す実施形態の情報受信装置２００でインターネットからの情報を受信する手順を示す。携帯電話２０１は、ステップｃ１で着信があるときに、ステップｃ２で発信者の照合を行う。ステップｃ３では、発信者が設定された発信者と同一であるか否かを判断する。このようなステップｃ１、ステップｃ２およびステップｃ３の各ステップは、図４のステップａ１、ステップａ２およびステップａ３の各ステップと、基本的に同等である。
【００４３】
ステップｃ３で、設定された発信者と一致していると判断されるときには、ステップｃ４で、携帯電話２０１が情報機器２０２にドッキングされているか否かを判断する。図２に示すように、ドッキングされているか否かは、トランジスタ２１３のコレクタからの出力がハイレベルの「Ｈ」であるかローレベルの「Ｌ」であるかによって検出して判断することができる。ステップｃ４で、ドッキングされていると判断されるときには、ステップｃ５で情報機器２０２に伝える着信通知信号を送信する。ステップｃ４で、ドッキングされていないと判断されるときには、ステップｃ６で、着信通知フラグを内部のメモリにセットして記憶する。携帯電話２０１は、内部メモリ２０１ｂを有し、初期値としては着信通知フラグはクリア状態である。ステップｃ３で、設定された発信者でないと判断されるときには、ステップｃ７で、図４のステップａ５と同様に、ブザーを鳴らして通常の着信として処理する。ステップｃ５、ステップｃ６またはステップｃ７のいずれかの処理が終了すると、携帯電話２０１としての着信処理を一旦終了する。携帯電話２０１は、情報機器２０２にドッキングされると、ステップｃ８でドッキングの検出が行われる。ステップｃ９では、内部メモリ２０１ｂを参照し、着信通知フラグがセットされているか否かを判断する。着信通知フラグがセットされていると判断されるときには、ステップｃ１０で着信通知フラグをクリアし、ステップｃ１１で着信通知信号を情報機器２０２に送信する。ステップｃ９で着信通知フラグがセットされていないと判断されるときには、着信通知信号についての送信は行わず、そのまま手順を終了する。
【００４４】
図７の手順で、携帯電話２０１と情報機器２０２とがドッキングされていない場合に着信があっても、ドッキングが行われた時点で、情報機器２０２がホストコンピュータに蓄積されている最新情報を受信して取得することができる。
【００４５】
図８は、図３の情報受信装置２００で、図３に示す電源コントローラ２０８の機能を前提として行う情報受信の手順を示す。情報機器２０２は、ステップｄ１で着信通知信号を検出し、ステップｄ２で情報機器２０２の電源状態の判断を行う。ステップｄ２で電源状態がオンでないと判断され、電源オフであると判断されるときには、ステップｄ３で電源オンのシーケンスを実行し、ステップｄ４で電源オンとなった要因である「電源オフ」を保存する。ステップｄ２で、情報機器の電源状態がサスペンドであると判断されるときには、ステップｄ５でレジュームシーケンスを実行し、ステップｄ６でレジュームシーケンスを実行した要因である「サスペンド」を保存する。ステップｄ４での電源オン要因やステップｄ６でのレジューム要因の保存は、情報機器２０２に一般的に備えられている図１の情報機器１０２の記憶装置１１１に相当するメモリなどに対して行う。
【００４６】
ステップｄ２で電源オンと判断されるとき、またはステップｄ４やステップｄ６の保存の手順が終了すると、ステップｄ７で、割込み要因の確認が行われる。以下、ステップｄ８での指定のアプリケーションの起動までは、図４のステップｂ４およびｂ５の各ステップと同様に行う。ステップｄ９では、ステップｄ４またはステップｄ６で保存された電源オン要因とレジューム要因とを読出す。ステップｄ１０で、着信通知信号による電源オンまたはレジュームか否かを判断する。着信通知信号による電源オンであるときには、ステップｄ１１で、電源オフシーケンスを実行する。ステップｄ１０で、着信通知信号によるレジュームと判断されるときには、ステップｄ１２で、サスペンドシーケンスを実行する。ステップｄ１０で着信通知信号による電源オンまたはレジュームでなく、もともと電源オンであると判断されるとき、またはステップｄ１１やステップｄ１２の手順が終了すると、全体としての処理も終了する。
【００４７】
図８の手順で、情報の受信処理が完了した後、電源状態を電源オフまたはサスペンドに移行させることができ、待機消費電力を低く抑えることができる。
【００４８】
図９は、図３に示す情報受信装置２００を用いて、インターネットから電子メールや新たに更新されたウエブページなどを配信するシステム全体の構成を示す。インターネット４００は、複数の情報提供サーバ４０１，４０２，…や、変更監視サーバ４０３、メールサーバとなるプロバイダが開設するホストコンピュータ４０４などに接続される。情報提供サーバ４０１，４０２は、ウエブページなどを開設し、逐次その内容を更新する。変更監視サーバ４０３は、ユーザからの要請に応じて、特定の情報提供サーバ４０１，４０２のウエブページを監視し、変更があれば、変更通知メールをプロバイダが設けるホストコンピュータ４０４に通知する。ホストコンピュータ４０４は、第三者からのメールも受信し、メールサーバとして情報受信装置２００を有するユーザのために保管する。本実施形態のホストコンピュータ４０４は、第三者からのメールや変更通知メールが到達すると、無線電話回線４０５を介して情報受信装置２００の携帯電話２０１に通知する。携帯電話２０１は、図４（ａ）または図７に示す手順で、情報機器２０２に対して着信信号を伝達する。情報機器２０２では、図４（ｂ）または図８に示す手順で情報提供サーバ４０１の変更した情報や、第三者からのメールをホストコンピュータ４０４から受信する。この際に、情報機器２０２は、有線電話回線４０６を介して、ホストコンピュータ４０４に接続して、ホストコンピュータ４０４からインターネット４００を介して情報提供サーバ４０１，４０２からの情報を受信することもできる。また、携帯電話２０１を介して情報を受信することもできる。なお有線電話回線４０６としては、公衆回線や専用回線を用いることができる。携帯電話２０１を介して情報機器２０２がインターネット４００からの情報を受信する際には、着信通知に続いて受信することができるので、迅速に情報の受信を行うことができる。公衆回線や専用回線である有線電話回線４０６を介して情報の受信を行う際には、大量の情報を迅速に受信することができる。
【００４９】
図１０は、図９に示す変更監視サーバ４０３からの変更通知メールをホストコンピュータ４０４経由で受信する場合の処理手順を示す。情報機器２０２は、ステップｅ１で、図４（ｂ）に示すステップｂ５や図８のステップｃ８と同様に、指定のアプリケーションを起動する。この場合着信信号が検出されると、予め電子メールの送信や受信の処理を行うメールソフトが起動するように設定しておく。ステップｅ２では、図４（ｂ）のステップｂ６と同様に、ホストコンピュータ４０４への接続を行う。ステップｅ３では、接続されたホストコンピュータ４０４に保管されている変更通知メールを受信する。ステップｅ４では、受信された電子メールに対応するメッセージルールを適用して、メッセージを選択し、ステップｅ５でホストコンピュータへの接続を切断し、処理を終了する。ステップｅ４でのメールに対するメッセージルールの適用は、予め変更通知メールならばメッセージ内容にあるＵＲＬを受信するように設定しておくことができる。
【００５０】
ステップｅ４のルールに対するメッセージルールの適用の処理は、次のステップｅ６からステップｅ１０までの手順で行われる。ステップｅ６では、変更通知メールか否かを判断する。変更通知メールであると判断されるときには、ステップｅ７で、メールの内容を解析する。この解析では文字列照合が行われる。ステップｅ８では、変更のあったＵＲＬ文字列を抽出する。ステップｅ９で、ブラウザを起動し、ＵＲＬ文字列を引数として渡す。ステップｅ１０では、ブラウザが受取ったＵＲＬにある情報を受信する。
【００５１】
図１０のステップｅ４で適用するメッセージルールは、一般的には特定のメッセージを受信すると、所定のホルダに移動させる機能である。本実施形態ではこの機能を拡張して、特定のメッセージを受信すると、アプリケーションを起動させるような仕組みを組込む。図１１は、そのようなメッセージルールを示す。図１１（ａ）は、ルールを適用するメッセージを示す。このルールでは、送信者にホストコンピュータ４０４に対応するＵＲＬが含まれ、かつ件名として「ｈａｓｃｈａｎｇｅｄ」を含む場合として変更通知メールに対応する条件が設定される。図１１（ｂ）に示すように、（ａ）に示すメッセージが受信されるときには、メッセージ内容で”Ｃｌｉｃｋ  ｈｅｒｅ  ｔｏ  ｖｉｅｗ  ｔｈｅ  ｃｈａｎｇｅｄ  ｐａｇｅ：”に続くＵＲＬ文字列によるコンテンツを受信するというような、変更通知メールが来た場合の処理内容が設定される。このような処理内容が設定されていると、メッセージ内容で、リンクが張られている部分に対してユーザがクリックしたと同様な処理が行われ、変更があったページの内容が自動的に受信される。なお、ＵＲＬ文字列は、たとえば”ｈｔｔｐ：／／”で始まり、ＵＲＬ指定文字から構成される文字列であると定義する。ＵＲＬ指定文字は、たとえば英数字と一定の記号から成る文字であると定義する。
【００５２】
図９に示す情報配信のためのシステムでは、情報提供サーバ４０１，４０２に蓄積される情報を、それが更新された時点で、ユーザの元にある情報機器２０２で受信することが可能となる。
【００５３】
【発明の効果】
以上のように本発明によれば、携帯電話への着信がトリガとなって情報ネットワーク上で提供される情報を情報機器に迅速に受信することができる。情報ネットワークから提供される情報としては、電子メールや各種情報あるいはサービスなどがあり、新着のメールや情報やサービスの更新時に、迅速に内容を確認することができる。
【００５４】
また、携帯電話と情報機器とがドッキング状態にないときには、携帯電話に対する着信があっても、着信信号は携帯電話を情報機器にドッキングさせたときに通知され、その時点で情報ネットワークから提供されている情報を情報機器に受信することができる。
【００５５】
また本発明によれば、情報機器は、携帯電話からの着信信号をトリガとして、情報機器の状態の変更を伴う制御を行い、情報の受信終了後にはその情報機器を着信時の状態に復元することができるので、情報機器が常時情報ネットワークからの通知を受信する体制になくても、着信時からの遅れが少ない状態で、提供される情報を受信することができる。
【００５６】
さらに本発明によれば、携帯電話が、情報ネットワークから新たな電子メールの到達や、発信者が特定のプロバイダなどであるか否かの判定を行い、特定のプロバイダなどであれば、判定結果を情報機器に伝達して、情報機器から情報の受信を行わせることができる。
【００５７】
さらにまた本発明によれば、情報ネットワークから提供される情報を携帯電話で予め定める条件に従って選択し、情報機器によって受信させることができる。情報の提供については、携帯電話に着信して判断するので、常時受信可能な状態としておいて、情報の提供時に迅速に判断することができる。情報機器は、携帯電話への着信をトリガとして、情報ネットワークを介して情報を受信するので、必要時のみ情報ネットワークに接続することができる。
【図面の簡単な説明】
【図１】本発明の実施の一形態の情報受信装置１００の概略的な電気的構成を示すブロック図である。
【図２】図１の実施形態の情報受信装置１００の概略的な外観構成を示す簡略化した斜視図である。
【図３】本発明の実施の他の形態の情報受信装置２００の部分的な電気的構成を示すブロック図である。
【図４】図１または図３に示す情報受信装置１００，２００での情報受信手順を示すフローチャートである。
【図５】図３に示す携帯電話２０１に発信者を設定する状態を示す簡略化した斜視図である。
【図６】図３の情報機器２０２のソフトウエア階層を示す図である。
【図７】図３の情報受信装置２００で携帯電話２０１がドッキング判定を伴って着信処理を行う手順を示すフローチャートである。
【図８】図３の情報受信装置２００で情報機器２０２が電源状態の保存や復元を伴って着信処理を行う手順を示すフローチャートである。
【図９】本発明の実施のさらに他の形態としての情報配信方法の概要を示す図である。
【図１０】図９の情報の情報受信装置２００でホストコンピュータ４０４から変更通知メールが着信するときの処理手順を示すフローチャートである。
【図１１】図１０のステップｅ４で適用されるメッセージルールの例を示す図である。
【符号の説明】
１００，２００  情報受信装置
１０１，２０１  携帯電話
１０２，２０２  情報機器
１０３，２０３  信号線
１０４  無線通信装置
１０５  入力装置
１０６  処理装置
１０７  記憶装置
１０９  ドッキング検出手段
１１０  着信信号伝達手段
１１１  記憶装置
１１２  中央処理装置
１１３  着信信号検出手段
１１４  周辺機器制御装置
１１５  電源制御装置
１１６  通信装置
１１７  電源回路
１１８  通信網
２１１  組み込みマイコン
２１２  ＬＥＤ
２１３  トランジスタ
２１７  受光素子
２１８  電源コントローラ
２２０  メインＣＰＵ
２２１  チップセット
２２２  アドレス
３０１  ハードウエア
３０２  ＥＣファームウエア
３０３  基本プログラム
３０４  アプリケーション
４００  インターネット
４０１，４０２  情報提供サーバ
４０３  変更監視サーバ
４０４  ホストコンピュータ
４０５  無線電話回線
４０６  有線電話回線
【図１】
0004343365.tif 000002
【図２】
0004343365.tif 000003
【図３】
0004343365.tif 000004
【図４】
0004343365.tif 000005
【図５】
0004343365.tif 000006
【図６】
0004343365.tif 000007
【図７】
0004343365.tif 000008
【図８】
0004343365.tif 000009
【図９】
0004343365.tif 000010
【図１０】
0004343365.tif 000011
【図１１】
0004343365.tif 000012